【事件の表示】
　特願２００７−５４４７４９「沸騰水形原子炉の燃料集合体」拒絶査定不服審判事件〔平成１８年　６月１５日国際公開、ＷＯ２００６／０６１０６８、平成２０年　７月　３日国内公表、特表２００８−５２３３６３〕について、次のとおり審決する。
【結　論】
　本件審判の請求は、成り立たない。
【理　由】
第１　手続の経緯
　本願は、２００５年１１月５日（パリ条約による優先権主張外国庁受理２００４年１２月９日、ドイツ国）を国際出願日とする出願であって、平成２３年１０月２５日付けで拒絶理由が通知され、平成２４年１月３１日付けで意見書が提出されるとともに、同日付けで手続補正書が提出され、その後、同年５月３０日付けで拒絶査定がなされた。これに対して、同年１０月１日に拒絶査定に対する審判請求がなされるとともに、同時に手続補正がなされたものである。
　その後、平成２５年２月６日付けで、審判請求人に前置報告の内容を示し意見を求めるための審尋を行ったところ、同年５月８日付けで回答書が提出された。さらに、当審において、同年８月２２日付けで拒絶理由が通知され、同年１２月１９日付けで意見書が提出されるとともに、同日付けで手続補正書が提出された。
　
第２　本願発明について
１．本願発明
　本願の特許請求の範囲の請求項１に係る発明（以下「本願発明」という。）は、平成２５年１２月１９日付けの手続補正により補正された特許請求の範囲の請求項１に記載された事項により特定される、以下のとおりのものである。
　
「上側がフィルタ板（９）で閉鎖された燃料集合体脚部（２）と、燃料集合体頭部（１）と、複数の長尺燃料棒（３）と燃料集合体脚部から出発して延びる複数の短尺燃料棒（３ａ）から成り燃料集合体の脚部（２）と頭部（１）との間に配置された燃料棒束と、燃料棒束の内部に配置されたウォータチャネル（４）とを有する沸騰水形原子炉の燃料集合体において、
　複数の短尺燃料棒（３ａ）が、それぞれ、前記フィルタ板（９）に結合され、かつ、フィルタ板（９）の上側に配設された、各短尺燃料棒を単独に保持するために設けた1つの個別の独立した保持部品に、軸方向に固定され、かつ前記短尺燃料棒（３ａ）が、軸方向嵌め込み様式のスナップ継手によって前記保持部品に固定されていることを特徴とする沸騰水形原子炉の燃料集合体。」
　
２．引用刊行物
（１）当審で通知した拒絶の理由に引用され、本願の優先日前に頒布された刊行物である、特開２００２−１５６４８２号公報（以下「引用文献１」という。）には、以下の事項が記載されている。（下線は当審が付した。）
　
（ａ）「【０００４】
 【発明が解決しようとする課題】本出願の譲受人の最近の
沸騰水型軽水炉（ＢＷＲ）用
　
（ｂ）「【００１０】 
　【発明の実施の形態】
さて図面、それも特に図１に、全体を１０で示す燃料組立体の代表的な実例を示す。燃料組立体１０は、燃料チャンネル１６と共に配置された核燃料集合体１４を形成する複数の核燃料棒１２を含む。棒１２は、その上端で上部タイプレート１８に接続され、またその下端で下部タイプレート２２の１部分を形成する下部タイプレートグリッド２０中に支持される。
下部タイプレートは、冷却水を受け入れるための入口ノズル２４を含み、
【００１１】
次ぎに図２には、本発明の好ましい実施形態に従って構成された下部タイプレート３０を備える燃料棒支持構造体２９を示す。下部タイプレート３０は、水を受け入れるためにその下端に隣接したノズル３１を含み、
図２に示すように、タイプレートグリッド３２は、タイプレート３０の上端に隣接して位置し、タイプレートグリッド３２の上面及び下面の間に延びる円筒形のボス３４の配列を含み、あとで述べるように、核燃料棒の円筒形のエンドプラグを受け入れ、核燃料棒を支持する。
【００１２】デブリを捕捉する機能は、下部タイプレート３０により支持されるフィルタプレート４４により果たされる。
図２に示すように、フィルタプレート４４は、ボス３４の穴４８に対して同一の配列で配置される複数の穴４６を含む。従って、フィルタプレート４４が下部タイプレートグリッドに重なるとき、穴４６は、ボス３４を貫通する穴４８と整合して、燃料棒の下部エンドプラグを受け入れるための組合せ開口になる。また、整合する穴は、水ロッド４７のエンドプラグを受け入れるためにフィルタプレートおよびグリッドにも設けられる。
【００１３】次ぎに図４には、フィルタプレート４４の拡大図を示す。図示するように、フィルタプレート４４は、穴４６の間に複数の孔５０を含む。本発明の好ましい実施形態において、フィルタプレートは、０．０４８インチ（１インチは、約２．５４ｃｍ）の厚さを有するステンレスプレートからなり、０．０９４インチの中心間距離で０．０６２５インチの直径を有する千鳥状に配置された孔５０を備える。フィルタプレートを貫通する孔５０の数は、フィルタプレート４４を貫通する各穴４６に対して１０個を超え、好ましくは１５個を超える。各穴４６の断面積は、各孔５０の断面積の少なくとも１５倍、好ましくは２０倍である。図示するように、孔が６角形配列の場合には、各孔５０は６つの周りの孔を有する。水が流れ易くするためには、フィルタプレートは、０．０２８７インチの直径の穴４６を有する、１側が約５．０７０インチであるのが好ましい。孔５０は、平方インチ当たりほぼ１３２個の穴を備え、プレートを貫通する少なくとも約３０％の開口面積をもつ。プレート４４を貫通する穴４６の直径は、ボス３４の内径に相当するので、フィルタプレート４４をタイプレートグリッドに対して重ね合わせたとき、プレート４４はボスの端縁４０により完全に支持される。その結果、ボスとウェブとの間の流れ開口４２は、孔５０と直接整合している状態にある。さらに、ウェブの上部端縁は、ボスの上部端縁より下方に窪み、つまりフィルタプレート４４の下側にあるので、フィルタプレートを貫通する流れ面積は、ボスの端縁４０に重なり合う孔を除く各孔５０を含む。ウェブ３６の端縁３８は、垂直方向に整合する孔を塞がない。
【００１４】
言うまでもなく、燃料集合体の燃料棒には、いろいろな種類がある。例えば、燃料棒の１部には、燃料集合体を下部タイプレートに固定するためのタイロッドを含むものがある。タイロッドを含むそれらの燃料棒は、それらの下端に、組合わさるボス内部の嵌まり合う雌ねじと螺合するようにねじが切られているエンドプラグを有する。従って、図５に示すように、タイロッド５６のエンドプラグ５８は、エンドプラグが収まるボスの嵌まり合う雌ねじ５９と螺合するようにねじが切られた雄の突出部分５７を有する。その上に、部分長の燃料棒もまた、使用する場合には、ねじが切られたエンドプラグを有する。その結果として、ボスを貫通する幾つかの数の付加的に選定された穴が、ねじが切られたエンドプラグを受け入れるために嵌まり合うようにねじが切られている。
【００１５】エンドプラグ５８，６０は、フィルタプレートの整合する穴４６を貫通してボスの穴に受け入れられることが分かるであろう。平滑な側面を持つエンドプラグ６０を有するそれらの燃料棒の場合には、エンドプラグの先細りの側面６１が、フィルタプレート４４を貫通する穴の縁に当たった状態で、エンドプラグは、プレート及びグリッドの整合する穴４６及び４８を貫通してそれぞれ受け入れられる。このように係合することと燃料棒の重量により、フィルタプレート４４を下部タイプレートグリッドのボス３４の上部端縁４０上に押さえ付けてそれに当接させる。しかしながら、ねじが切られた雄の延長部分５７を有するエンドプラグ５８の先細りの表面６３は、フィルタプレート４４を貫通する穴４６の縁から間隔を置いて配置される。つまり、エンドプラグとねじが切られたエンドプラグを受け入れるフィルタプレートを貫通する穴を形成する縁との間に離れた隙間がある。このことが、ねじが切られたエンドプラグを雌ねじが切られたボス中に固定するための裕度をもたらす。
【００１６】従って、従来技術のデブリキャッチャと比較して穴の大きさをかなり縮小し、デブリの集積から生じる燃料集合体の故障を最少または排除するデブリ捕捉フィルタプレートが提供される。さらに、本発明の組立体は、容易に製造可能であり、また追加の部品を必要とせずにタイプレートと組立てられる。タイプレートと一体鋳造された従来技術のデブリキャッチャは、その関連の問題とともに、かくして排除される。
【００１７】本発明を、現時点で最も実用的かつ好ましい実施形態であると考えられるもに関連して述べてきたが、本発明は、開示された実施形態に限定されるものではなく、逆に、特許請求の範囲の技術思想及び技術的範囲に含まれる様々な変形形態及び均等構成を保護しようとするものであることを理解されたい。」
　
（ｃ）「
　 　 　 　 　 　 　 　 　 　 　 　 　 　 　 　 　 　 　 　 　 」
　
（ｄ）段落【００１１】〜【００１７】及び図２〜５に記載された「本発明の好ましい実施形態に従って構成された下部タイプレート３０を備える燃料棒支持構造体２９」は、段落【００１０】及び図１に示される「燃料組立体の代表的な実例」において、「下部タイプレート２２」を置き換えるものであることは明らかである。
　
（ｅ）図２及び５から、「フィルタプレート４４」が「タイプレートグリッド３２」の上側に配置されていることは明らかである。
　
（ｆ）図２及び３から、「水ロッド４７」が複数の「核燃料棒１２」の内部に配置されていることは明らかである。
　
　してみると、上記記載事項から、引用文献１には、以下の発明（以下「引用発明」という。）が記載されている。 
 　 
「燃料チャンネル１６と共に配置された核燃料集合体１４を形成する複数の核燃料棒１２と複数の核燃料棒１２の内部に配置された水ロッド４７とを含み、核燃料棒１２は、その上端で上部タイプレート１８に接続され、またその下端で下部タイプレート３０を備える燃料棒支持構造体２９に支持された沸騰水型軽水炉用の燃料組立体１０において、
　タイプレートグリッド３２は、下部タイプレート３０の上端に隣接して位置し、タイプレートグリッド３２の上面及び下面の間に延び、核燃料棒１２の円筒形のエンドプラグを受け入れ、核燃料棒１２を支持する円筒形のボス３４の配列を含み、ボス３４を貫通する幾つかの数の付加的に選択された穴が、ねじが切られたエンドプラグを受け入れるために嵌まり合うようにねじが切られており、
　フィルタプレート４４は、タイプレートグリッド３２の上側に配置され、ボス３４の穴４８に対して同一の配列で配置される複数の穴４６を含み、フィルタプレート４４がタイプレートグリッド３２に重なるとき、穴４６は、ボス３４を貫通する穴４８と整合して、燃料棒の下部エンドプラグを受け入れるための組合せ開口になり、
　複数の核燃料棒１２は、燃料棒と部分長の燃料棒とからなり、部分長の燃料棒のタイロッド５６のエンドプラグ５８は、エンドプラグが収まるボス３４の嵌まり合う雌ねじ５９と螺合するようにねじが切られた雄の突出部分５７を有する、
　沸騰水型軽水炉用の燃料組立体１０。」 
　
（２）当審で通知した拒絶の理由に引用され、本願の優先日前に頒布された刊行物である、特開平２−１４０６８９号公報（以下「引用文献２」という。）には、以下の事項が記載されている。（下線は当審が付した。）
　
（ａ）「３．発明の詳細な説明
〔発明の目的〕
　（産業上の利用分野）
　本発明は、原子炉の炉心部に装荷される燃料集合体に係り、特に燃料棒の上部が欠除した短尺燃料棒あるいは燃料棒の上部が固定されていない燃料棒の輸送中の移動、運転中での浮き上り、および回転を防止すべく改良された燃料集合体に関する。」（公報第２頁右下欄第３〜１１行）
　
（ｂ）「（実施例）
　本発明に係わる燃料集合体の一例の全体構成を第１図に示す。角筒状のチャンネル１内に、上下端が上部下部端栓１１，１４によって密封されている多数の燃料棒１０を１列８本で８列にしたマトリックス状に収納配列し、燃料棒１０の上端を上部タイプレート２にて、下端を下部タイプレート４にて夫々支持すると共に、上部、下部両タイプレート２，４間に適切な間隔で配設された複数のスペーサ６にて、燃料棒１０相互を適宜間隔で保持して成る。燃料棒１０の一部は、上部のみを欠除した短尺燃料棒１０Ａで構成されている。この短尺燃料棒１０Ａの配置は燃料集合体の核設計により変化するが、一例を第２図に示す。集合体の四隅に近い位置に短尺燃料棒１０Ａが組込まれている。
　短尺燃料棒１０Ａの構造を第３図に示す。
短尺燃料棒１０Ａの下部端栓７の丸軸部７Ｂの根元部分の径をわずかに細くしたくびれ部７Ａを設けているのが特徴である。
　第４図は短尺燃料棒１０Ａの下部端栓７に挿入されるべく位置の下部タイプレート４の挿入孔に、当該燃料を固定するために設けられる円筒型バネ２０の概略を示したものである。この
円筒型バネ２０には、
中間部分では内側に突起２４を有している。
　自由状態における円筒型バネ２０の外側へ広がっている上端部分２２の外径および外側への突起２３部分の外径は、下部タイプレート４挿入孔の内径より大きく、また円筒型バネ２０の内側への突起２４部分の内径は、下部端栓７の丸軸部７Ｂのくびれ部７Ａの外径より若干小さくしている。
　短尺燃料棒１０Ａが挿入されるべき位置の下部タイプレート４の挿入孔に円筒型バネ２０を取付けた状態の断面図を第５図に示す。
円筒型バネ２０を下部タイプレート４の上部から挿入し取付ける。
円筒型バネ２０の中間部分の内側への突起２４と短尺燃料棒１０Ａの下部端栓７の丸軸部７Ｂの根元部分のくびれ部７Ａとが嵌合している。
　円筒型バネ２０は、上下にスリットが入り板バネとなっており、下部タイプレート４挿入孔と短尺燃料棒１０Ａ下部端栓７とを上下方向に固定しつなぐ役目をしている。
　本発明の燃料集合体の組立て手順を具体的に説明する。
（１）短尺燃料棒１０Ａが挿入されるべき位置の下部タイプレートの挿入孔に円筒型バネ２０を上部から押込み取付ける。
（２）円筒型バネ２０を取付けた位置に短尺燃料棒１０Ａを上部から挿入する。すなわち、円筒型バネ２０内に短尺燃料棒１０Ａの下部端栓７を挿入する。円筒型バネ２０の中間部分の内側への突起２４と短尺燃料棒１０Ａの下部端栓７のくびれ部７Ａとが嵌合するまで挿入する。
（３）その他の燃料棒を組立てる。
　円筒型バネ２０はどの位置の下部タイプレート４挿入孔にも装着可能な形状である。このことは核設計の変更にともない短尺燃料棒１０Ａの集合体内の位置が変更になったとしても、円筒型バネ２０の下部タイプレート４挿入孔への装着位置を変更し、集合体を組立てることにより対応可能であり、下部タイプレートなどの燃料集合体の部品の設計変更をしなくてよい、また、短尺燃料棒１０Ａが何本になっても対応可能である。
〔発明の効果〕
　燃料集合体の輸送中においての短尺燃料棒の移動を防止し、輸送中の燃料棒の健全性を維持できると共に、原子炉運転中での短尺燃料棒の浮き上りを完全に防止して下部タイプレートからの離脱を未然に、かつ確実に防止できる等の優れた効果を奏するものである。」（公報第２頁左下欄第１６行〜第３頁左下第１５行）
　
（ｃ）「 
　 　 　 　 　 　 　 　 　 　 　 　 　 　 　 　 　 　 　 　 　 」
　
　してみると、上記記載事項から、引用文献２には、短尺燃料棒１０Ａの下部端栓７を下部タイプレート４の挿入孔に挿入して固定する手段において、下部端栓７の丸軸部７Ｂの根元部分の径をわずかに細くしたくびれ部７Ａと、下部タイプレート４の挿入孔に挿入し取り付けられた円筒型バネ２０の中間部分の内側への突起２４とが嵌合する構成とするという技術事項が記載されている。
　そして、この「下部端栓７の丸軸部７Ｂの根元部分の径をわずかに細くしたくびれ部７Ａと、下部タイプレート４の挿入孔に挿入し取り付けられた円筒型バネ２０の中間部分の内側への突起２４とが嵌合する構成」は、スナップ継手の一種であることは明らかであるから、結局、引用文献２には、「短尺燃料棒１０Ａの下部端栓７を下部タイプレート４の挿入孔に挿入して固定する手段において、下部端栓７の丸軸部７Ｂの根元部分の径をわずかに細くしたくびれ部７Ａと、下部タイプレート４の挿入孔に挿入し取り付けられた円筒型バネ２０の中間部分の内側への突起２４とが嵌合する構成」というスナップ継手の一種を使用することが記載されている。
　
３．対比
（１）本願発明と引用発明との対比
（ａ）引用発明の「フィルタプレート４４」、「燃料棒支持構造体２９」、「上部タイプレート１８」、「燃料棒」、「部分長の燃料棒」、「核燃料集合体１４」、「水ロッド４７」、「ボス３４」及び「燃料組立体１０」が、それぞれ、本願発明の「フィルタ板（９）」、「燃料集合体脚部（２）」、「燃料集合体頭部（１）」、「長尺燃料棒（３）」、「短尺燃料棒（３ａ）」、「燃料棒束」、「ウォータチャネル（４）」、「保持部品」及び「燃料集合体」に相当する。
　
（ｂ）引用発明において、「フィルタプレート４４は、タイプレートグリッド３２の上側に配置され」ており、かつ、「タイプレートグリッド３２は、下部タイプレート３０の上端に隣接して位置し」ているから、「フィルタプレート４４」は「燃料棒支持構造体２９」の上側を閉鎖していることが明らかであり、また、「複数の核燃料棒１２は、燃料棒と部分長の燃料棒とからな」っているから、引用発明の「燃料チャンネル１６と共に配置された核燃料集合体１４を形成する複数の核燃料棒１２と複数の核燃料棒１２の内部に配置された水ロッド４７とを含み、核燃料棒１２は、その上端で上部タイプレート１８に接続され、またその下端で下部タイプレート３０を備える燃料棒支持構造体２９に支持された沸騰水型軽水炉用の燃料組立体１０」は、本願発明の「上側がフィルタ板（９）で閉鎖された燃料集合体脚部（２）と、燃料集合体頭部（１）と、複数の長尺燃料棒（３）と燃料集合体脚部から出発して延びる複数の短尺燃料棒（３ａ）から成り燃料集合体の脚部（２）と頭部（１）との間に配置された燃料棒束と、燃料棒束の内部に配置されたウォータチャネル（４）とを有する沸騰水形原子炉の燃料集合体」に相当する。
　
（ｃ）本願発明の「前記フィルタ板（９）に結合され」た「保持部品」は、平成２５年１２月１９日付けの意見書で、請求人が主張するとおり、保持部品を備える格子板（６）がフィルタ板（９）上側面に置かれている構成に対応するものであり、
　また、引用発明において、「タイプレートグリッド３２は、下部タイプレート３０の上端に隣接して位置し、タイプレートグリッド３２の上面及び下面の間に延び、核燃料棒１２の円筒形のエンドプラグを受け入れ、核燃料棒１２を支持する円筒形のボス３４の配列を含み、ボス３４を貫通する幾つかの数の付加的に選択された穴が、ねじが切られたエンドプラグを受け入れるために嵌まり合うようにねじが切られており、フィルタプレート４４は、タイプレートグリッド３２の上側に配置され、ボス３４の穴４８に対して同一の配列で配置される複数の穴４６を含み、フィルタプレート４４がタイプレートグリッド３２に重なるとき、穴４６は、ボス３４を貫通する穴４８と整合して、燃料棒の下部エンドプラグを受け入れるための組合せ開口にな」ることから、「フィルタプレート４４」が、「核燃料棒１２を支持する円筒形のボス３４」を含む「タイプレートグリッド３２」の上側に配置された構成であることは明らかであるから、
　引用発明は、本願発明の「前記フィルタ板（９）に結合され」た「保持部品」に相当する構成を備えているといえる。
　
（ｄ）引用発明の「タイプレートグリッド３２は、下部タイプレート３０の上端に隣接して位置し、タイプレートグリッド３２の上面及び下面の間に延び、核燃料棒１２の円筒形のエンドプラグを受け入れ、核燃料棒１２を支持する円筒形のボス３４の配列を含み、ボス３４を貫通する幾つかの数の付加的に選択された穴が、ねじが切られたエンドプラグを受け入れるために嵌まり合うようにねじが切られており、」「複数の核燃料棒１２は、燃料棒と部分長の燃料棒とからなり、部分長の燃料棒のタイロッド５６のエンドプラグ５８は、エンドプラグが収まるボス３４の嵌まり合う雌ねじ５９と螺合するようにねじが切られた雄の突出部分５７を有する」構成において、「ボス３４を貫通する幾つかの数の付加的に選択された穴」に切られた「雌ねじ５９」と「部分長の燃料棒のタイロッド５６のエンドプラグ５８」の「雄の突出部分５７」に切られた「ねじ」とが螺合して、「部分長の燃料棒」が「ボス３４」に固定されていることは明らかであるから、
　引用発明の「タイプレートグリッド３２は、下部タイプレート３０の上端に隣接して位置し、タイプレートグリッド３２の上面及び下面の間に延び、核燃料棒１２の円筒形のエンドプラグを受け入れ、核燃料棒１２を支持する円筒形のボス３４の配列を含み、ボス３４を貫通する幾つかの数の付加的に選択された穴が、ねじが切られたエンドプラグを受け入れるために嵌まり合うようにねじが切られており、」「複数の核燃料棒１２は、燃料棒と部分長の燃料棒とからなり、部分長の燃料棒のタイロッド５６のエンドプラグ５８は、エンドプラグが収まるボス３４の嵌り合う雌ねじ５９と螺合するようにねじが切られた雄の突出部分５７を有する」構成と、本願発明の「複数の短尺燃料棒（３ａ）が、それぞれ、」「各短尺燃料棒を単独に保持するために設けた１つの個別の独立した保持部品に、軸方向に固定され、かつ前記短尺燃料棒（３ａ）が、軸方向嵌め込み様式のスナップ継手によって前記保持部品に固定されている」構成とは、「複数の短尺燃料棒（３ａ）が、それぞれ、」「各短尺燃料棒を単独に保持するために設けた１つの個別の独立した保持部品に、軸方向に固定されている」構成で一致する。
　
（２）一致点 
　してみると、両者は、
「上側がフィルタ板（９）で閉鎖された燃料集合体脚部（２）と、燃料集合体頭部（１）と、複数の長尺燃料棒（３）と燃料集合体脚部から出発して延びる複数の短尺燃料棒（３ａ）から成り燃料集合体の脚部（２）と頭部（１）との間に配置された燃料棒束と、燃料棒束の内部に配置されたウォータチャネル（４）とを有する沸騰水形原子炉の燃料集合体において、
　複数の短尺燃料棒（３ａ）が、それぞれ、前記フィルタ板（９）に結合されて、各短尺燃料棒を単独に保持するために設けた１つの個別の独立した保持部品に、軸方向に固定されている沸騰水形原子炉の燃料集合体。」で一致し、次の各点で相違する。
　
（３）相違点
（イ）本願発明では、「前記短尺燃料棒（３ａ）が、軸方向嵌め込み様式のスナップ継手によって前記保持部品に固定されている」のに対して、引用発明では、「ボス３４を貫通する幾つかの数の付加的に選択された穴」に切られた「雌ねじ５９」と「部分長の燃料棒のタイロッド５６のエンドプラグ５８」の「雄の突出部分５７」に切られた「ねじ」とが螺合して、「部分長の燃料棒」が「ボス３４」に固定されている点。
　
（ロ）本願発明では、「フィルタ板（９）の上側に配設された」「保持部品」であるのに対して、引用発明では、「フィルタプレート４４」が、「核燃料棒１２を支持する円筒形のボス３４」を含む「タイプレートグリッド３２」の上側に配置された構成である点。
　
４．判断 
（１）相違点（イ）について
　引用文献２には、「短尺燃料棒１０Ａの下部端栓７を下部タイプレート４の挿入孔に挿入して固定する手段において、下部端栓７の丸軸部７Ｂの根元部分の径をわずかに細くしたくびれ部７Ａと、下部タイプレート４の挿入孔に挿入し取り付けられた円筒型バネ２０の中間部分の内側への突起２４とが嵌合する構成」というスナップ継手の一種を使用することが記載されており、また、一般に、固着手段において、スナップ継手、雌ねじと雄ねじとの螺合は、ともに、周知の手段であるから、
　引用発明の「ボス３４を貫通する幾つかの数の付加的に選択された穴」に切られた「ねじ」と「部分長の燃料棒のタイロッド５６のエンドプラグ５８」の「雄の突出部分５７」に切られた「雌ねじ５９」との螺合による固着に換えて、引用文献２に記載された「下部端栓７の丸軸部７Ｂの根元部分の径をわずかに細くしたくびれ部７Ａと、他部タイプレート４の挿入孔に挿入し取り付けられた円筒型バネ２０の中間部分の内側への突起２４とが嵌合する構成」を採用して、上記相違点（イ）に係る本願発明の発明特定事項を得ることは当業者が容易に想到し得ることである。
　
（２）相違点（ロ）について
　沸騰水型原子炉の燃料集合体の燃料集合体脚部において、複数の燃料棒を保持する保持部品とフィルタを有し、かつ、フィルタの上側に保持部品を配設することは、特表２００１−５０７１２９号公報（「下部連結板６」、「下部支持機構１０」の「上流側の平面１３」、第７頁第３〜１７行、図２，４，５参照）、特開平９−１６６６７５号公報（「下部タイプレート１ｂ」、「デブリフィルタ１０」、段落【００２８】〜【００３５】、図１〜６参照）、特開平８−４３５７０号公報（「格子上部２８」、「格子下部２６」、段落【００２２】〜【００２３】、図１〜３参照）、特開平７−３０６２８４号公報（「格子上部２８」、「格子下部２６」、段落【００２１】〜【００２３】、図１〜３参照）、特開昭６２−９６８９１号公報（「燃料棒支持部４３」、「金網５３」、第３頁右下欄第８〜１３，１６〜１９行、第５図参照）に示されるように周知技術であるから、引用発明において、「フィルタプレート４４」が、「核燃料棒１２を支持する円筒形のボス３４」を含む「タイプレートグリッド３２」の上側に配置された構成に換えて、「核燃料棒１２を支持する円筒形のボス３４」を含む「タイプレートグリッド３２」を「フィルタプレート４４」の上側に配置して、上記相違点（ロ）に係る本願発明の発明特定事項を得ることは当業者が適宜なし得ることである。
　なお、引用発明において、「核燃料棒１２を支持する円筒形のボス３４」を含む「タイプレートグリッド３２」を「フィルタプレート４４」の上側に配置しても、「フィルタプレート４４」が「燃料棒支持構造体２９」の上側を閉鎖していることに変わりはない。
　
（３）効果について
　本願発明が奏し得る効果は、引用発明、引用文献２に記載された技術事項及び周知技術から当業者が予測し得る範囲のものであって格別なものではない。 
　なお、請求人が、審判請求書の【請求の理由】【本願発明が特許されるべき理由】の「１．本願発明の説明」で「「燃料集合体脚部のフィルタ板への孔の設置およびブッシュのろう付けは不要となる。」効果を奏する。また、「フィルタ板に結合された保持部分は、比較的簡単に、例えば鋼板打抜き加工部品として形成でき、相応した安価な経費で製造できる。」効果を奏する。」と主張する効果は、「複数の短尺燃料棒（３ａ）が、それぞれ、前記フィルタ板（９）に結合され、かつ、フィルタ板（９）の上側に配設された、各短尺燃料棒を単独に保持するために設けた1つの個別の独立した保持部品に、軸方向に固定され、かつ前記短尺燃料棒（３ａ）が、軸方向嵌め込み様式のスナップ継手によって前記保持部品に固定されている」とのみ特定される本願発明が奏し得るものではない。
　
（４）結論
　したがって、本願発明は、引用発明、引用文献２に記載された事項及び周知技術に基いて当業者が容易に発明をすることができたものであるから、特許法第２９条第２項の規定により特許を受けることができない。
　
　
第３　むすび
　以上のとおり、本願発明は特許法第２９条第２項の規定により特許を受けることができないから、本願の他の請求項に係る発明について検討するまでもなく、本願は拒絶されるべきものである。
　よって結論のとおり審決する。